(57)【要約】【課題】複数の家電製品を上下に強固に積層するための結合構造を有する家電製品を提供する。【解決手段】上下結合構造を有する家電製品は、第１家電製品と、該第１家電製品の上部に置かれる第２家電製品と、第１家電製品の外面に取り付けられ、該第１家電製品を第２家電製品に結合させる第１結合部材と、第１結合部材と第２家電製品との結合に当たり、結合位置を整列する第２結合部材と、を備える。【選択図】図１
2006026400.tif 000002
【特許請求の範囲】
【請求項１】
第１家電製品と、
該第１家電製品の上部に置かれる第２家電製品と、
前記第１家電製品の外面に取り付けられ、該第１家電製品を前記第２家電製品に結合させる第１結合部材と、
前記第１結合部材と前記第２家電製品との結合に当たり、結合位置を整列する第２結合部材と、
を備えることを特徴とする上下結合構造を有する家電製品。
【請求項２】
前記第２結合部材及び前記第１結合部材が、お互い結合及び取り外し可能に形成されることを特徴とする請求項１に記載の上下結合構造を有する家電製品。
【請求項３】
前記第１結合部材が前記第１家電製品の下部に取り付けられ、前記第２結合部材が前記第２家電製品の上部に取り付けられることを特徴とする請求項１に記載の上下結合構造を有する家電製品。
【請求項４】
前記第２結合部材には係止突起が形成され、前記第１結合部材には、前記係止突起に係止される係止部が形成されることを特徴とする請求項１に記載の上下結合構造を有する家電製品。
【請求項５】
前記係止部が前記係止突起に容易に係止されるように、前記係止突起には次第に幅が狭まる凹溝が形成されることを特徴とする請求項４に記載の上下結合構造を有する家電製品。
【請求項６】
前記第１家電製品は洗濯機であり、前記第２家電製品は衣類乾燥機であることを特徴とする請求項１に記載の上下結合構造を有する家電製品。
【請求項７】
前記第１結合部材と第２結合部材は、前記第１家電製品と前記第２家電製品の後面にそれぞれ取り付けられることを特徴とする請求項１に記載の上下結合構造を有する家電製品。
【請求項８】
前記第１家電製品と前記第２家電製品の相互結合に当たり、第１家電製品を第２家電製品の対応する結合位置へ案内する案内部材をさらに備えることを特徴とする請求項１に記載の上下結合構造を有する家電製品。
【請求項９】
前記案内部材は、前記第２家電製品の下面に着脱自在に装着されることを特徴とする請求項８に記載の上下結合構造を有する家電製品。
【請求項１０】
前記第２結合部材は、第２家電製品に固定される固定部をさらに備え、該固定部は、水平支持面と、該支持面の上側から延在する係止突起とを含むことを特徴とする請求項４に記載の上下結合構造を有する家電製品。
【請求項１１】
前記第１結合部材は、
前記第１家電製品の一側上部に締め付けられる固定部と、
該固定部から水平に延在する水平部と、
該水平部から垂直に延在し、係止部が形成される垂直部と、
からなることを特徴とする請求項４に記載の上下結合構造を有する家電製品。
【請求項１２】
前記係止部は、フック状に形成されることを特徴とする請求項１１に記載の上下結合構造を有する家電製品。
【請求項１３】
前記案内部材は、両側にフックが取り付けられて第２家電製品に着脱自在に装着されることを特徴とする請求項８に記載の上下結合構造を有する家電製品。
【請求項１４】
前記案内部材には凹部が形成され、前記第１家電製品には前記凹部に受容される縁部が形成されることを特徴とする請求項８に記載の上下結合構造を有する家電製品。
【請求項１５】
前記係止部は、前記第２家電製品の前方側を持ち上げることによって係止突起に置かれ、この持ち上げられた第２家電製品の前方側を下げることによって前記係止突起に係合されることを特徴とする請求項４に記載の上下結合構造を有する家電製品。
【請求項１６】
対応する結合部材を有する対応する家電製品の上部または下部に積層される家電製品であって、
前記対応する結合部材と着脱自在に結合される結合部材を有することを特徴とする家電製品。
【請求項１７】
前記結合部材が、係止突起であることを特徴とする請求項１６に記載の家電製品。
【請求項１８】
前記結合部材が、フック形状を有することを特徴とする請求項１６に記載の家電製品。
【発明の詳細な説明】
【技術分野】
【０００１】
本発明は、上下結合構造を有する洗濯機や乾燥機のような家電製品に係り、より詳細には、上下に安定的に積層されるようにする結合構造を有する洗濯機や乾燥機のような家電製品に関する。
【背景技術】
【０００２】
一般に、效率的な空間活用のために、複数の家電製品をスタンド上に積み重ねて設置する方法が用いられてきている。
【０００３】
特に、大きさ及び形状において互いに似ており、かつ、機能において連関性を持つ洗濯機、衣類乾燥機、またはその他の家電製品を積み重ねて使用することによって、使い勝手の向上を図っている。
【０００４】
その一例として、特許文献１には洗濯機と衣類乾燥機を組み合わせた洗濯乾燥装置が開示されている。この洗濯乾燥装置は、スタンドの上部に衣類乾燥機、下部には洗濯機が配されるように構成される。
【０００５】
また、スタンドは、衣類乾燥器が設置される平らな棚と、この棚を垂直方向に安定的に支持するための横枠とを備える。
【０００６】
しかしながら、かかる従来の上下設置構造は、スタンドの設置に長時間がかかるだけでなく、スタンドが高価である、という問題点があった。
【０００７】
また、スタンドが壁に固定されているため、家電製品を他の場所に移したり、あるいは別途設置しようとする場合、スタンドも解体しなければならず、その作業に多い時間と労働力が所要されるという問題点があった。
【特許文献１】韓国特許登録第１９８５−００１８００号
【発明の開示】
【発明が解決しようとする課題】
【０００８】
本発明は上記の問題点を解決するためのもので、その目的は、家電製品を上下に積み重ねて設置するに当たり、上下の家電製品を結合部材を用いて結合させることによって、家電製品の設置にかかる時間及びコストを節減しうる上下結合構造を有する家電製品を提供することにある。
【０００９】
本発明の他の目的は、家電製品を結合させるための結合部材を相互に結合及び取り外し容易にすることによって、家電製品の位置を変えたり上下結合を解除してから別途設置しようとする場合にも短時間で容易に作業ができるようにした上下結合構造を有する家電製品を提供することにある。
【課題を解決するための手段】
【００１０】
上記の目的を達成するために、本発明に係る上下結合構造を有する家電製品は、第１家電製品と、該第１家電製品の上部に置かれる第２家電製品と、第１家電製品と第２家電製品とを結合するための結合部材と、を備えることを特徴とする。
【００１１】
また、結合部材は、第１家電製品の外面に取り付けられ、該第１家電製品を前記第２家電製品に結合させる第１結合部材と、第１結合部材と第２家電製品との結合に当たり、結合位置を整列する第２結合部材と、を備えることを特徴とする。
【００１２】
第１結合部材が第１家電製品の下部に取り付けられ、第２結合部材が第２家電製品の上部に取り付けられることを特徴とする。
【００１３】
第２結合部材及び第１結合部材が、お互い結合及び取り外し可能に構成されることを特徴とする。
【００１４】
また、第２結合部材には係止突起が形成され、第１結合部材には、係止突起に係止される係止部が形成されることを特徴とする。
【００１５】
係止部が係止突起に容易に係止されるように、係止突起には次第に幅が狭まる凹溝が形成されることを特徴とする。
【００１６】
第１家電製品は洗濯機であり、第２家電製品は衣類乾燥機であることを特徴とする。
【００１７】
第１結合部材と第２結合部材は、第１家電製品と第２家電製品の後面にそれぞれ取り付けられることを特徴とする。
【００１８】
上下結合構造を有する家電製品は、第１家電製品と第２家電製品の相互結合に当たり、第１家電製品を第２家電製品の対応する結合位置へ案内する案内部材をさらに備えることを特徴とする。
【００１９】
なお、案内部材は、第２家電製品の下面に着脱自在に装着されることを特徴とする。
【発明の効果】
【００２０】
本発明による上下結合構造を有する家電製品は、上下の家電製品を結合部材によって結合するため、設置にかかる時間とコストを節減できる効果が得られる。
【００２１】
また、家電製品を結合する結合部材を容易にお互い結合及び取り外しされるように形成するため、家電製品の位置を変えたり上下結合を解除して別途設置しようとする場合にも、短時間で容易に作業ができる効果が得られる。
【発明を実施するための最良の形態】
【００２２】
以下、本発明の好適な実施の形態について、添付の図面に基づいて詳細に説明する。本実施の形態では家電製品の一例として洗濯機と衣類乾燥機を示すが、これに限定されず、本発明の思想内で他の家電製品も使用可能であることは言うまでもない。
【００２３】
本発明による上下結合構造を有する家電製品は、図１に示すように、洗濯機３の上に衣類乾燥器１を設置する構成とする。このように洗濯機３と乾燥器１を上下に設置すると、空間の効率的活用と洗濯作業の便宜性を図ることができる。ここでは、洗濯水が供給される洗濯機３の重さが一般的に衣類乾燥機１よりも重い点に鑑みて、衣類乾燥機１を上側に、洗濯機３を下側に配している。
【００２４】
こうした設置を容易にするために、衣類乾燥機１の後面両下側には上側結合部材２０が取り付けられ、洗濯機３の後面両上側には下側結合部材３０が取り付けられる。上側結合部材２０と下側結合部材３０はそれぞれ衣類乾燥機１と洗濯機３に固定され、容易にお互い結合及び取り外しされるように形成される。上側結合部材２０と下側結合部材３０の具体的な構造については、図２に基づいて後述する。
【００２５】
そして、衣類乾燥機１の下面両側には棒状の案内部材１０が取り付けられる。案内部材１０は、衣類乾燥機１を洗濯機３上に設置するにおいて衣類乾燥機１が結合のための適正な位置まで移動するように案内する役割、及び衣類乾燥機１を洗濯機３に設置し終わったところでは衣類乾燥機１を洗濯機３に固定する役割を担う。この案内部材１０の具体的な構造については、図３に基づいて後述する。
【００２６】
図２は、上側結合部材２０と下側結合部材３０が結合された状態を示す斜視図である。同図において、上側結合部材２０には係止突起２５が形成され、下側結合部材３０には係止部３５が形成されており、係止部３５が係止突起２５に係止されることによって、上側結合部材２０と下側結合部材３０とが結合される。
【００２７】
図２を参照すると、衣類乾燥機１後面の下側隅部に取り付けられる上側結合部材２０は、衣類乾燥機１に締め付けられる衣類乾燥機固定部２１を有する。衣類乾燥機固定部２１は、衣類乾燥機１の後面と底面に密着するようにねじのような固定部材にて固設される。また、衣類乾燥機固定部２１の後方には、水平に延在する支持面２３と、支持面２３から上方に垂直に延在する係止突起２５が形成される。係止突起２５の上側には誘導溝２５ａが形成される。
【００２８】
また、洗濯機３後面の上側隅部に取り付けられる下側結合部材３０は、洗濯機３に締め付けられる洗濯機固定部３１を有する。洗濯機固定部３１は、洗濯機３後面に密着するようにねじのような固定部材にて固設される。これにより、衣類乾燥機１の下側隅部の剛性が補強される。また、下側結合部材３０は、洗濯機固定部３１の上端から洗濯機３の後方側に水平に延在する水平部３２と、水平部３２から垂直に上方に延在する垂直部３３を有する。垂直部３３の上端部には、上側結合部材２０の係止突起２５にかかるようにフック状の係止部３５が形成される。係止部３５の端部を支持面２３に安着するように水平に延設される。
【００２９】
一方、係止突起２５には、次第に幅が狭まるように傾斜した誘導溝２５ａが形成されており、したがって、衣類乾燥機１と洗濯機３が正確に整列しない場合にも、係止部３５が係止突起２５に係止されつつ自動で位置合わせができる。
【００３０】
図３は、案内部材１０を示す断面斜視図である。棒状に形成される本発明に適用される案内部材１０は、上面両端にフック１１が取り付けられているため、衣類乾燥機１の下面に着脱自在に装着されることができる。また、案内部材１０の下面には、凹部１０ａが、洗濯機３上面の突き出た縁部３ａがはめ込まれるように案内部材１０の長手方向に沿って一直線上に形成される。
【００３１】
このように構成される本発明の家電製品を上下結合する過程を、図４ないし図６に基づいて詳細に説明する。
【００３２】
まず、図４に示すように、衣類乾燥機１に上側結合部材２０を、洗濯機３に下側結合部材３０を取り付けた後に、衣類乾燥機１を洗濯機３の上に載せる。洗濯機３の上面に衣類乾燥機１の後側が載せられた状態で、案内部材１０を衣類乾燥機１の下面に取り付ける。
【００３３】
続いて、図５に示すように、衣類乾燥機１の前方側を下部に下げて案内部材１０の凹部１０ａと洗濯機３上面の縁部３ａとが接するようにした状態で、衣類乾燥機１の配線ｃと送風配管ｖを設置し、衣類乾燥機１を後方側に移動させる。
【００３４】
衣類乾燥機１が後方側に十分に移動して上側結合部材２０と下側結合部材３０とが近接すると、図６に示すように、衣類乾燥機１の前方側を持ち上げて下側結合部材３０の係止部３５が上側結合部材２０の係止突起２５の上部に置かれるようにする。続いて、衣類乾燥機１の前方側を下ろすと、下側結合部材３０の係止部３５と上側結合部材２０の係止突起２５が係合され、案内部材１０が洗濯機３の上面に接しながら衣類乾燥機１が洗濯機３の上部に強固に固設される。
【図面の簡単な説明】
【００３５】
【図１】本発明の実施の形態による家電製品の上下結合構造を示す斜視図である。
【図２】図１に示す家電製品の上下側結合部材を示す斜視図である。
【図３】図１に示す家電製品の案内部材を示す断面斜視図である。
【図４】本発明の実施の形態による家電製品の結合過程を示す側面図である。
【図５】本発明の実施の形態による家電製品の結合過程を示す側面図である。
【図６】本発明の実施の形態による家電製品の結合過程を示す側面図である。
【符号の説明】
【００３６】
１      乾燥機
３      洗濯機
３ａ      縁部
１０      案内部材
１０ａ      凹部
１１      フック
２０      上側結合部材
２１      衣類乾燥機固定部
２３      支持面
２５      係止突起
２５ａ      誘導溝
３０      下側結合部材
３１      洗濯機固定部
３２      水平部
３３      垂直部
３５      係止部
【図１】
2006026400.tif 000003
【図２】
2006026400.tif 000004
【図３】
2006026400.tif 000005
【図４】
2006026400.tif 000006
【図５】
2006026400.tif 000007
【図６】
2006026400.tif 000008